(57)【要約】【課題】  適切な目的位置に投げられるとともに、目的位置で素早く展開できる油吸着マットを提供する。【解決手段】  水面上で浮遊する油分を吸着する油吸着マットであって、周縁を纏められたシート状の吸着体と、周縁を纏められた状態に吸着体を結束する結束体と、吸着体に連結された可撓性を有する長尺状且つ紐状で、切断可能な線材とを備える。【選択図】  図１
2014148851.tif 000002
【特許請求の範囲】
【請求項１】
水面上で浮遊する油分を吸着する油吸着マットであって、周縁を纏められたシート状の吸着体と、周縁を纏められた状態に吸着体を結束する結束体と、吸着体に連結された可撓性を有する長尺状且つ紐状で、切断可能な線材とを備えることを特徴とする油吸着マット。
【請求項２】
線材は、周縁を纏められた状態の吸着体と、吸着体に巻き回しされた結束体との間に挿通されることを特徴とする請求項１に記載の油吸着マット。
【請求項３】
結束体は、水溶性材料で形成されることを特徴とする請求項１又は２に記載の油吸着マット。
【発明の詳細な説明】
【技術分野】
【０００１】
本発明は、溜池や沈砂池等の貯水池等の水面に浮遊する油分を捕捉して回収するのに適した油吸着マットに関する。
【背景技術】
【０００２】
従来、溜池や沈砂池等の貯水池等では、周辺の環境により油分が流れ込み、水面上に浮遊することがある。油分を下流に放流すると環境を害することから、通常、貯水池等から河川等に放水する前に、油分を除去する作業が行われている。この作業に用いられるものとして、水面に浮遊する油分を吸収するシート状の吸着体を有する油吸着マットが知られているが、油吸着マットは、一般的に軽量であり、空気抵抗の影響により油分の浮遊する位置に投げることが難しい。
【０００３】
このような問題を解決すべく、この種のマットには、吸着体の周端縁に沿って復元性のあるバネ材が設けられたものがある。そして、かかるマットは吸着体を折り畳んだ状態で投げることが可能とされる（例えば特許文献１）。すなわち、この油吸着マットは、折り畳まれ、水溶性の結束材によって結束され、そのままの状態で投げられる。マットは、着水することで結束材が水溶し、吸着体は、バネ材の復元力により元の形状に復元される。
【先行技術文献】
【特許文献】
【０００４】
【特許文献１】特開２００４−２５７０６７号公報
【発明の概要】
【発明が解決しようとする課題】
【０００５】
しかしながら、特許文献１における油吸着マットでは、目的位置に投げることが可能になる反面、投げた後、結束材が水溶するまで吸着体が元の形状（広げた状態）に復元しない。そのため、油吸着マットを素早く展開できないことがあり、風や水流等の影響によって、吸着体によって吸着できない油分が水面上を広がってしまうことが考えられる。また、油吸着マットが投げられたときに目的位置から外れた位置に着水すると、油分を吸着することができないため、棒等で油吸着マットを目的位置に誘導する必要がある。
【０００６】
本発明は、斯かる事情に鑑み、適切な目的位置に投げれるとともに、目的位置で素早く展開できる油吸着マットを提供することを課題とする。
【課題を解決するための手段】
【０００７】
本発明に係る油吸着マットは、水面上で浮遊する油分を吸着する油吸着マットであって、周縁を纏められたシート状の吸着体と、周縁を纏められた状態に吸着体を結束する結束体と、吸着体に連結された可撓性を有する長尺状且つ紐状で、切断可能な線材とを備えることを特徴とする。
【０００８】
本発明に係る油吸着マットによれば、吸着体は、周縁を纏められて塊状になる。これにより、空気抵抗が小さくなり、目的位置へ吸着体を投げることが容易になる。そして、投げられた吸着体は、線材の操作によって油分の浮遊する位置に移動（微調整）される。このとき、結束体は、線材の操作によって水の抵抗を受け、吸着体の結束を解く。これにより、吸着体は、周縁を纏められた状態から広がった状態（元の状態）に形状を変える。したがって、吸着体は、適切な目的位置に投げられ得るとともに目的位置で素早く展開され得る。
【０００９】
本発明の一態様として、線材は、周縁を纏められた状態の吸着体と、吸着体に巻き回しされた結束体との間に挿通されてもよい。
【００１０】
このような構成により、線材が操作されることで、線材には張力が作用する。線材は、張力の作用によって結束体の幅方向（巻き回し方向に交差する方向）に切断する力を作用させる。結束体は、この切断する力の作用によって切断される。吸着体は、結束体の切断によって、周縁を纏められた状態から広がった状態に形状を変える。これにより、簡単な操作で、吸着体を適切な目的位置に展開することができる。
【００１１】
この場合、結束体は、水溶性材料で形成されてもよい。このようにすることで、結束体は、水面に投げられることで切断されやすくなる。これにより、投げられた吸着体を素早く目的位置に展開することができる。
【発明の効果】
【００１２】
以上の如く、本発明に係る油吸着マットによれば、適切な目的位置に投げることができるとともに、目的位置で素早く展開できるというすぐれた効果を奏する。
【図面の簡単な説明】
【００１３】
【図１】本発明の一実施形態に係る纏められた油吸着マットの概略正面図を示す。
【図２】同実施形態に係る結束体が切断された油吸着マットの概略正面図を示す。
【図３】同実施形態に係る展開された油吸着マットの概略正面図を示す。
【発明を実施するための形態】
【００１４】
以下、本発明に係る油吸着マットにおける一実施形態について、図１〜図３を参照して説明する。
【００１５】
本実施形態に係る油吸着マット１は、図１に示すように、水面ＷＳ上で浮遊する油分を吸着する油吸着マット１であって、周縁を纏められたシート状の吸着体１０と、周縁を纏められた状態に吸着体１０を結束する結束体２０と、吸着体１０に連結された可撓性を有する長尺状且つ紐状で、切断可能な線材３０と、吸着体１０及び線材３０を連結する連結体４０とを備える。
【００１６】
吸着体１０は、撥水性且つ親油性の材料又は材料を含んで形成される。吸着体１０は、撥水性により投げられると水面ＷＳに浮くように構成される。本実施形態において、吸着体１０は、投げ時に受ける空気抵抗の影響を抑えるように、周縁を纏められて袋状（塊状）にされる。吸着体１０は、目的位置への着水後、結束体２０による結束が解かれることで、水面ＷＳで広がった状態（元の状態）に展開（復元）するように構成される。より好ましくは、吸着体１０は、広がった状態に戻る復元力を有して構成される。
【００１７】
結束体２０は、帯状、紐状、環状等に形成され、水溶性材料で形成される。結束体２０は、例えば、和紙で帯状に形成される。そして、本実施形態において、結束体２０は、周縁を纏められた状態の吸着体１０に巻き回しされて、吸着体１０を巾着状にする。このとき、結束体２０は、線材３０の表面にも当接した状態で吸着体１０の周縁に巻き回しされる。具体的に、結束体２０は、周縁を纏められた吸着体１０の周縁の表面に当接する線材３０の上から巻き回しされる。そして、結束体２０は、着水前には、巻き回しされた状態を維持可能に結束されることで、吸着体１０を周縁を纏めた状態に維持する。より好ましくは、結束体２０は、吸着体１０を投げて目的位置まで到達させるのに十分な重さで形成される。
【００１８】
線材３０は、岸や船上等の投げ位置から目的位置までの距離に対して十分に長くなるように設けられる。そして、線材３０は、一端で吸着体１０に連結され、他端を自由端にされている。これにより、吸着体１０が投げ位置から目的位置に向けて投げられると、線材３０の一端は、吸着体１０とともに目的位置に向けて投げられる。線材３０が目的位置までの距離に対して十分に長いので、線材３０は、吸着体１０の投げ位置からの移動にともなって、投げ位置から引き出される。そして、線材３０は、吸着体１０の着水位置（目的位置）と投げ位置とを結ぶように配置される。この状態で、線材３０は、投げ位置から引っ張られることで、連結体４０を介して吸着体１０を水面ＷＳ上で引っ張り方向に移動させる。
【００１９】
本実施形態において、線材３０は、結束体２０に対して十分な強度をもって構成される。具体的に、線材３０は、結束体２０の幅方向を切断可能な強度をもって構成される。そして、線材３０は、周縁を纏められた（袋状の）吸着体１０の内部表面に一端を連結体４０により連結され、開口（纏められた周縁により囲まれた部分）から引き出された状態に配置される。そして、線材３０は、周縁を纏められた状態の吸着体１０と、吸着体１０に巻き回しされた結束体２０との間に挿通される。より具体的に、線材３０は、周縁を纏められた状態の吸着体１０と、巻き回しされた結束体２０との間に中途部分を挟まれて配置される。すなわち、線材３０は、図１に示すように、周縁を纏められた吸着体１０の外面に、巻き回しされた結束体２０に中途部分を止められた状態に配置される。
【００２０】
連結体４０は、水分や油分により、吸着体１０に線材３０を連結する力を減衰されない材料で構成される。また、連結体４０は、線材３０を引っ張る力と、吸着体１０の水面ＷＳ上の移動に掛かる水による抵抗力とに対して、線材３０及び吸着体１０の外れを防ぐことが可能な強度で吸着体１０に線材３０を連結する。連結体４０は、線材３０を引っ張る力を吸着体１０に作用させて、吸着体１０の水面ＷＳ上の移動を可能にしている。
【００２１】
本実施形態に係る油吸着マット１の構成については以上の通りであり、次に、本実施形態に係る油吸着マット１の作用について説明する。
【００２２】
周縁を纏められて巾着状にされた吸着体１０は、投げ位置から、目的位置である油分の浮遊する水面ＷＳに向けて投げられる。吸着体１０は、周縁を纏められた状態にされていることから、広がった状態で投げられる場合に比べて、空気抵抗の影響を抑えた状態で飛ぶ（移動する）ことになる。これにより、吸着体１０は、容易に目的位置に着水する。
【００２３】
このとき、線材３０は、一端を連結体４０により吸着体１０に連結されていることで、吸着体１０の移動に合わせて岸や船上等の投げ位置から引き出される。吸着体１０が目的位置に着水すると、線材３０は、目的位置にある吸着体１０と投げ位置とを結ぶように配置される。吸着体１０の位置を微調整すべく、線材３０が投げ位置から引っ張られると、線材３０には、吸着体１０と投げ位置との間で張力が作用する。すなわち、線材３０には、吸着体１０の水中（水面ＷＳ）を移動する抵抗力と、線材３０を引っ張る引っ張り力とから張力が作用する。
【００２４】
これにより、線材３０の中途部分は、吸着体１０及び結束体２０に挟まれている状態で、吸着体１０の表面から離れようとする。すなわち、線材３０の中途部分は、結束体２０の幅方向（巻き回し方向に交差する方向）に、結束体２０を切断する力を作用させる。
【００２５】
ところで、結束体２０は、吸着体１０とともに着水する。そして、結束体２０は、水溶性材料で構成されていることから、着水後、水溶し始める。したがって、結束体２０は、切断されやすい状態になる。この状態で線材３０が引っ張られることで、結束体２０は、線材３０の中途部分から幅方向に作用する力を受ける。結束体２０は、線材３０の中途部分から幅方向に作用する力を受けることで、幅方向に切断される。結束体２０は、幅方向で切断されることで、吸着体１０の結束を解く。これにより、吸着体１０は、目的位置で周縁を纏められた状態から広がった状態（元の状態）に形状を変える。
【００２６】
特に、吸着体１０は、結束体２０による結束から解放された状態で、線材３０から断続的に連続する引っ張り力（振動）を受けることで、周縁を纏められた状態から広がった状態（元の状態）に形状を変える。吸着体１０は、広がった状態に形状を変えることで、水面ＷＳに浮遊する油分を広い面積で吸着することが可能になる。そして、油分を十分に吸着した吸着体１０は、線材３０を用いて目的位置から岸や船上等の回収位置（投げ位置）まで引っ張られることで回収される。
【００２７】
以上より、本実施形態に係る油吸着マット１は、水面上で浮遊する油分を吸着する油吸着マット１であって、周縁を纏められたシート状の吸着体１０と、周縁を纏められた状態に吸着体１０を結束する結束体２０と、吸着体１０に連結された可撓性を有する長尺状且つ紐状で、切断可能な線材３０とを備えることを特徴とする。
【００２８】
本実施形態に係る油吸着マット１によれば、吸着体１０は、周縁を纏められて塊状になる。これにより、空気抵抗が小さくなり、目的位置へ吸着体１０を投げることが容易になる。そして、投げられた吸着体１０は、線材３０の操作によって油分の浮遊する位置に移動（微調整）される。このとき、結束体２０は、線材３０の操作によって水の抵抗を受け、吸着体１０の結束を解く。これにより、吸着体１０は、周縁を纏められた状態から広がった状態（元の状態）に形状を変える。したがって、吸着体１０は、適切な目的位置に投げられ得るとともに目的位置で素早く展開され得る。
【００２９】
本発明の一態様として、線材３０は、周縁を纏められた状態の吸着体１０と、吸着体１０に巻き回しされた結束体２０との間に挿通されてもよい。
【００３０】
このような構成により、線材３０が操作されることで、線材３０には張力が作用する。線材３０は、張力の作用によって結束体２０の幅方向（巻き回し方向に交差する方向）に切断する力を作用させる。結束体２０は、この切断する力の作用によって切断される。吸着体１０は、結束体２０の切断によって、周縁を纏められた状態から広がった状態に形状を変える。これにより、簡単な操作で、吸着体１０を適切な目的位置に展開することができる。
【００３１】
この場合、結束体２０は、水溶性材料で形成されてもよい。このようにすることで、結束体２０は、水面に投げられることで切断されやすくなる。これにより、投げられた吸着体１０を素早く目的位置に展開することができる。
【００３２】
なお、本発明に係る油吸着マットは、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００３３】
例えば、上記実施形態に係る吸着体１０において、吸着体１０が周縁を纏められるとしたが、投げる際に空気抵抗を小さくすることが可能な形状であれば、どのような形状に折り畳まれていてもよい。例えば、吸着体１０は、三つ折りや四つ折り等に折り畳まれても良い。
【００３４】
そして、結束体２０は、線材３０により切断可能に構成されるのであれば、種々の態様で吸着体１０を結束してもよい。例えば、結束体２０は、線材３０の中途部分を吸着体１０の表面に止めるように、複数回巻きまわしされてもよく、吸着体１０の表面で交差するように巻きまわしされてもよい。
【００３５】
また、上記実施形態において、結束体２０を水溶性材料であるとしたが、これに限定されない。例えば、結束体２０は、難溶性材料で形成され、線材３０に当接する幅方向端部に、幅方向に向けて切り込みを入れる形状に構成されてもよい。また、結束体２０は、線材３０に当接する位置で、幅方向にミシン目を有することで、線材３０により切断される構成としてもよい。なお、結束体２０が水溶性材料で形成される場合であっても、結束体２０は、上記切り込みやミシン目を有する構造であってもよい。
【００３６】
また、上記実施形態において、連結体４０は、周縁を纏められた吸着体１０の内面に線材３０の一端を連結する構造としたが、これに限定されない。例えば、連結体４０は、周縁を纏められた吸着体１０の外面に線材３０の一端を連結する構造であってもよく、方形状に形成された吸着体１０の端縁に線材３０を連結する構造であってもよい。また、連結体４０は、接着剤、テープ、又は糸等で構成されてよい。さらには、吸着体１０に設けられた図示しない孔に線材３０を通して結ぶことで、連結体４０を設けない構成としてもよい。
【００３７】
また、上記実施形態において、周縁を纏められた状態の（袋状の）吸着体１０に、水溶性の図示しない錘を取り付けてもよい。図示しない錘は、周縁を纏められた吸着体１０によって形成される内部空間内に入れられてよい。より好ましくは、図示しない錘は、結束体２０の位置又はその近傍に取り付けられてよい。このようにすることで、吸着体１０の着水時又はその後に、結束体２０は、水濡れしやすくなり、線材３０の操作により切断されやすくなる。したがって、吸着体１０の着水後、吸着体１０をより素早く展開することができる。また、吸着体１０を投げるときに、目的位置まで投げやすくなる。
【００３８】
また、上記実施形態における油吸着マット１は、溜池や沈砂池等の貯水池等での使用に限定されず、海や川等の水面ＷＳを有する場所であれば、いずれの場所であっても使用可能である。
【符号の説明】
【００３９】
１    油吸着マット
１０  吸着体
２０  結束体
３０  線材
４０  連結体
【図１】
2014148851.tif 000003
【図２】
2014148851.tif 000004
【図３】
2014148851.tif 000005